(57)【要約】【課題】容器本体を直立させた状態で飲料を飲用可能であるとともに、容易にかつ衛生的に飲料の注入、注出が可能なストロー付キャップを有する飲料容器を提供する。【解決手段】使用者が飲料を吸引する際には、容器本体１０１にキャップ１０３が螺入され、これにより容器本体側ストロー１０２のキャップ側端１０２ａがキャップ側ストロー１０４の容器本体側端１０４ｂに嵌入される。そして、この状態では、容器本体側ストロー１０２とキャップ側ストロー１０４との間が密封される。一方、容器本体１０１に飲料を注入等する際には、キャップ１０３が容器本体１０１から取り外され、これにより容器本体側ストロー１０２とキャップ側ストロー１０４とが分離される。【選択図】        図１
2004203469.tif 000002
【特許請求の範囲】
【請求項１】
飲料を収容する容器本体と、
該容器本体に挿入される容器本体側ストローと、
該容器本体側ストローを前記容器本体に内包させつつ、該容器本体側ストローを前記容器本体の内面側から支持する支持部材と、
前記容器本体の口部に螺合可能なキャップと、
該キャップの上蓋部に貫通固定されるキャップ側ストローと、
該キャップ側ストローの一端を封止可能な封止手段と、
前記キャップが前記容器本体の口部に螺合した状態で、前記容器本体側ストローと前記キャップ側ストローとを連絡し、かつ該容器本体側ストローと該キャップ側ストローとの境目を密封する連絡・密封手段とを備えたことを特徴とするストロー付キャップを有する飲料容器。
【請求項２】
前記キャップの上蓋部を貫通する空気孔と、
前記封止手段に連結され又は前記封止手段に直接形成され、かつ前記封止手段により前記キャップ側ストローが封止された状態で、前記空気孔を封止する空気孔封止手段とを備えたことを特徴とする請求項１記載のストロー付キャップを有する飲料容器。
【請求項３】
飲料を収容する容器本体と、
該容器本体に挿入される容器本体側ストローと、
該容器本体側ストローの一端を前記容器本体から突出させつつ、該容器本体側ストローを前記容器本体の内面側から支持する支持部材と、
前記容器本体の口部に螺合可能であり、かつ該螺合した状態で前記容器本体側ストローの一端を封止するキャップとを備えたことを特徴とするストロー付キャップを有する飲料容器。
【請求項４】
前記容器本体の内面側において、前記支持部材が取り付けられた部分には、前記飲料が流通可能な通路が形成されていることを特徴とする請求項１、２又は３記載のストロー付キャップを有する飲料容器。
【請求項５】
前記容器本体側ストローの内面又は前記キャップ側ストローの内面に取り付けられた弁体を備えたストロー付キャップを有する飲料容器であって、
前記弁体は、前記容器本体側ストロー又は前記キャップ側ストローを自然状態で閉とし、かつ前記容器本体側ストローの吸引又は前記キャップ側ストローの吸引により開とすることを特徴とする請求項１〜４のいずれか１項に記載のストロー付キャップを有する飲料容器。
【請求項６】
前記容器本体と前記キャップとの間及び／又は前記キャップと前記封止手段との間を連結する連結手段を備えたことを特徴とする請求項１〜５のいずれか１項に記載のストロー付キャップを有する飲料容器。
【発明の詳細な説明】
【０００１】
【発明の属する技術分野】
本発明はストロー付キャップを有する飲料容器に係わり、特に、容器本体を直立させた状態で飲料を飲用可能であるとともに、容易にかつ衛生的に飲料の注入、注出が可能なストロー付キャップを有する飲料容器に関する。
【０００２】
【従来の技術】
近年、飲料容器のうち、ペットボトルと通称されているポリエチレンテレフタレート製の容器は、水やジュース等の各種飲料を収容する容器として広く使用されている。
ここに、従来のペットボトルの概略構成図を図９に示す。
【０００３】
図９において、ペットボトル１０は、所定容量の飲料を収容可能な形状に成型された容器本体１と、この容器本体１を密閉するためのキャップ２とから構成されている。そして、この容器本体１には、口部１ａが開口されているとともに、この口部１ａの外周面側にオネジ１ｂが螺刻されている。これに対して、キャップ２の内周面側には、オネジ１ｂに螺合可能なように形成されたメネジ（図示略）が螺刻されている。
【０００４】
かかる構成において、ペットボトル１０の使用者が、容器本体１に収容された飲料を飲む際は、ペットボトル１０からキャップ２を外して容器本体１を手で把持し、これを逆さ等にすることで口部１ａから直接飲料を飲用する。また、使用者がペットボトル１０を携帯等する際は、キャップ２を口部１ａに螺合させることで容器本体１を密閉し、これを携帯する。さらに、このペットボトル１０に飲料を注入したり、コップ等に注出する際は、キャップ２を外した後、口部１ａから飲料を注ぎ入れたり、注ぎ出したりする。
【０００５】
このことにより、容器本体１に収容した飲料を漏らすことなくペットボトル１０を携帯可能であるとともに、容易に飲料を飲用可能である。
【０００６】
【発明が解決しようとする課題】
しかしながら、従来のペットボトル１０では、容器本体１を逆さ等にしないと飲料を飲用することができないため、これが困難なほどに狭い場所（例えば、混雑した電車の中等）においては、飲料を飲むことが困難であった。
また、一般的にペットボトルとして使用される容量は、数百ミリリットルから数リットルと幅が広く、特に、ペットボトル１０の容量が大きい場合には、容器本体１を把持しつつ、これを逆さ等にして飲料を飲用するのは困難であった。
【０００７】
さらに、従来のペットボトル１０では、飲料を飲用する際に直接口部１ａに口を当てつつ飲料を飲用するため、この口部１ａ付近に菌が繁殖し易く、さらには、この口部１ａに繁殖した菌が容器本体１内に混入してしまうおそれがあった。その一方で、近年、キャップに（単に）長いストローを取り付けた構造を有するペットボトルも存在するが、この種のペットボトルは、飲料の注入、注出の際に長いストローが邪魔になり、これらの作業を行うのが面倒であった。
【０００８】
本発明はこのような従来の課題に鑑みてなされたもので、容器本体を直立させた状態で飲料を飲用可能であるとともに、容易にかつ衛生的に飲料の注入、注出が可能なストロー付キャップを有する飲料容器を提供することを目的とする。
【０００９】
【課題を解決するための手段】
このため本発明は、飲料を収容する容器本体と、該容器本体に挿入される容器本体側ストローと、該容器本体側ストローを前記容器本体に内包させつつ、該容器本体側ストローを前記容器本体の内面側から支持する支持部材と、前記容器本体の口部に螺合可能なキャップと、該キャップの上蓋部に貫通固定されるキャップ側ストローと、該キャップ側ストローの一端を封止可能な封止手段と、前記キャップが前記容器本体の口部に螺合した状態で、前記容器本体側ストローと前記キャップ側ストローとを連絡し、かつ該容器本体側ストローと該キャップ側ストローとの境目を密封する連絡・密封手段とを備えて構成した。
【００１０】
飲料容器の使用者が容器本体に収容した飲料を飲用する際には、キャップ側ストローを吸引する。このとき、容器本体側ストローとキャップ側ストローとの間は、連絡・密封手段により密封されているため、キャップ側ストローを吸引した吸引力が外部に漏れることはない。
【００１１】
このことにより、容器本体を逆さにしないと飲料を飲めない場所においても、飲料を飲むことが可能となる。また、飲料容器が大容量であっても、これを傾斜させることなく、飲料を飲用することが可能となる。さらに、飲料を飲用する際に直接口を付けるのは、キャップ側ストローのみであるため、従来の飲料容器が口部全体に口を当てていたのに比べて、菌が繁殖し難く、容器本体内に菌が混入するのを未然に防ぐことが可能となる。
【００１２】
なお、連絡・密封手段は、容器本体側ストローとキャップ側ストローとが密嵌される構成であっても良いし、容器本体側ストローとキャップ側ストローとが螺合される構成であっても良い。また、封止手段は、キャップ側ストローの一端の形状に合致するように成型されたフタであっても良いし、キャップ側ストローの一端付近を折り曲げるためのクリップ等であっても良い。
【００１３】
また、本発明は、前記キャップの上蓋部を貫通する空気孔と、前記封止手段に連結され又は前記封止手段に直接形成され、かつ前記封止手段により前記キャップ側ストローが封止された状態で、前記空気孔を封止する空気孔封止手段とを備えて構成した。
【００１４】
キャップには空気孔が設けられているため、飲用の際に飲料を多量に吸引しても、すぐに容器本体内部の圧力と外気圧との圧力差を無くすことができる。このことにより、飲料の飲用が容易になる。
また、キャップ側ストローを封止した際に、封止手段に連結され又は封止手段に直接形成された空気孔封止手段により空気孔も封止可能であるため、この状態で飲料容器を逆さ等にしても、キャップ側ストローや空気孔からの飲料が流出することはなくなる。従って、飲料容器の携帯が可能となる。
【００１５】
さらに、本発明は、飲料を収容する容器本体と、該容器本体に挿入される容器本体側ストローと、該容器本体側ストローの一端を前記容器本体から突出させつつ、該容器本体側ストローを前記容器本体の内面側から支持する支持部材と、前記容器本体の口部に螺合可能であり、かつ該螺合した状態で前記容器本体側ストローの一端を封止するキャップとを備えて構成した。
【００１６】
飲料容器の使用者が容器本体に収容した飲料を飲用する際には、容器本体側ストローを吸引する。このとき、容器本体側ストローの一端は、容器本体から突出しているため、これを吸引することができる。
このことにより、容器本体を直立させた状態で飲料を飲用することができる。従って、飲料容器の製造過程において、作製容易な容器本体及びキャップの構成を選択可能となる。
【００１７】
さらに、本発明は、前記容器本体の内面側において、前記支持部材が取り付けられた部分には、前記飲料が流通可能な通路が形成されていることを特徴とする。
【００１８】
容器本体側ストローは、飲料の流通が可能な通路を有する支持部材により支持されている。そのため、飲料を容器本体の内部あるいは外部に注入、注出させる際に、飲料がこの支持部材において何ら詰まることなく、飲料の注入、注出が可能となる。また、容器本体側ストローとキャップ側ストローとは分離しているため、飲料の注入、注出の際に、キャップに容器本体側ストローが付随して来ることはなくなる。
【００１９】
このことにより、飲料の注入、注出を容易に行うことが可能となる。また、飲料の注入、注出の際にストローを外部に接触させることがなくなるため、これらの作業を衛生的に行うことが可能となる。
【００２０】
さらに、本発明は、前記容器本体側ストローの内面又は前記キャップ側ストローの内面に取り付けられた弁体を備えたストロー付キャップを有する飲料容器であって、前記弁体は、前記容器本体側ストロー又は前記キャップ側ストローを自然状態で閉とし、かつ前記容器本体側ストローの吸引又は前記キャップ側ストローの吸引により開とすることを特徴とする。
【００２１】
使用者が容器本体に収容した飲料を吸引する際には、容器本体側ストロー又はキャップ側ストローを吸引する。このとき、容器本体側ストロー又はキャップ側ストローに取り付けられた弁体は、容器本体側ストロー又はキャップ側ストローを吸引することで開となる。そのため、使用者は飲料を飲用できる。一方、この飲用可能な状態で、一時的に飲用を休止する際には、自然状態となって弁体が閉となる。そのため、容器本体側ストロー又はキャップ側ストローから菌が混入し難くなる。
このことにより、飲料容器の内部で菌の繁殖を未然に防止することができる。
【００２２】
さらに、本発明は、前記容器本体と前記キャップとの間及び／又は前記キャップと前記封止手段との間を連結する連結手段を備えて構成した。
【００２３】
このことにより、飲料容器から飲料を飲用する際や飲料容器に飲料を注入等する際に、容器本体から外した封止手段やキャップを床等に置くことがなくなる。従って、これらの作業を衛生的に行うことが可能となる。また、これらの作業中に、封止手段やキャップの紛失することもなくなる。
なお、キャップ及び容器本体のいずれかは、キャップが容器本体の口部に容易に螺合可能なように、連結手段に対して回動自在となっていることが望ましい。
【００２４】
【発明の実施の形態】
以下、本発明の第１実施形態について説明する。
本発明の第１実施形態であるペットボトルの概略構成図を図１に、また図１中の縦断面図を図２に示す。なお、図２（ａ）は、図１中のＡ−Ａ矢視線（口部付近のみの）部分拡大断面図であり、図２（ｂ）は、図１中のＢ−Ｂ矢視線拡大断面図であり、図２（ｃ）は、図１中のＣ−Ｃ矢視線拡大断面図であり、図２（ｄ）は、図１中のＤ矢視線拡大図である。
【００２５】
図１、図２において、ペットボトル１００は、容器本体１０１と、キャップ１０３と、フタ１０５とから構成されている。
ここに、容器本体１０１は、ポリエチレンテレフタレート製となっており、この容器本体１０１は、略円筒状に成型されるとともに、所定容量の飲料を収容可能なように、その一方の口が下底部１０１ｅとして閉じられている。また、その他方の口は、容器本体１０１をその軸方向上側（図中紙面に対して上側）に所定の内径を有するように絞り込みつつ（この絞り込んだ部分を首部１０１ｃという）、この首部１０１ｃに連続して容器本体１０１の軸方向上側に高さＨ１だけ延長した（この延長した部分を口部１０１ａという）形状を有している。そして、この口部１０１ａの外周面側には、口部１０１ａの軸方向上側の先端から首部１０１ｃ付近まで、オネジ１０１ｂ（有効径をＤ１とする）が刻設されている。
【００２６】
一方、容器本体１０１の内周面側には、３本の棒状の支持部材１０１ｄが取り付けられている。そして、これらの支持部材１０１ｄは、それぞれの一端が口部１０１ａと首部１０１ｃとの境界線付近の内周面側に互いにおよそ１２０°の間隔を隔てて固着されているとともに、この支持部材１０１ｄの長手方向が容器本体１０１の径方向と一致するように、その位置調整が行われている。
【００２７】
また、このような容器本体１０１には、３本の支持部材１０１ｄの他端において（共同して）支持される容器本体側ストロー１０２が内包されている。このとき、この容器本体側ストロー１０２は、それぞれの支持部材１０１ｄの他端に直接固着されており、この容器本体側ストロー１０２の一端であるキャップ側端１０２ａが、容器本体１０１の中心軸上に位置するようになっている。また、容器本体側ストロー１０２は、このキャップ側端１０２ａが、容器本体１０１でオネジ１０１ｂが螺刻された部分の中程に位置するように、その軸方向の位置調整が行われている。
【００２８】
ただし、後述するキャップ側ストロー１０４が取り付けられる位置との関係によっては、キャップ側端１０２ａがオネジ１０１ｂの形成される部分よりも軸方向の下方向側の位置に調整されても良く、また、口部１０１ａより突出していても良い。また、支持部材１０１ｄは、３本の棒状の部材からなるとして説明してきたが、これに限定されるものではない。さらに、容器本体側ストロー１０２は、支持部材１０１ｄの他端に直接固着される場合に限られず、例えば、支持部材１０１ｄの他端に図示しない円環状の部材を予め固着して、この円環状の部材の内面に容器本体側ストロー１０２が固着されるようにしても良い。
【００２９】
ここに、容器本体側ストロー１０２のキャップ側端１０２ａは、後述するキャップ側ストロー１０４と密嵌し合う部分となっている。そのため、キャップ側端１０２ａ付近の形状は、このキャップ側ストロー１０４に嵌入され易いように、キャップ側端１０２ａに向けて、容器本体側ストロー１０２の内径Ｒ２が若干絞られたテーパー状の形状を有している。また、このキャップ側端１０２ａ付近の材料は、容器本体側ストロー１０２が後述するキャップ側ストロー１０４に密嵌され易いように硬化されたものとなっている。
【００３０】
一方、この容器本体側ストロー１０２の他端である下底部側端１０２ｂは、容器本体１０１に収容される飲料側の部分となっている。そのため、下底部側端１０２ｂ付近の形状は、使用者が飲料を飲用し易いように、下底部側端１０２ｂに向けて、斜めに切断された形状を有している。
【００３１】
さらに、容器本体側ストロー１０２の内径Ｒ２の大きさは（キャップ側端１０２ａ付近を除き）一様であり、一般的なストローと同程度の大きさとなっている。そのため、内径Ｒ２は、通常２．０ｍｍ〜８．０ｍｍ程度となっている。
また、容器本体側ストロー１０２の長さＬ２は、容器本体１０１の軸方向長さ（すなわち、容器本体１０１の高さ）と同程度の長さとなっている。そして、この長さＬ２は、容器本体側ストロー１０２が支持部材１０１ｄに固着された際に、下底部側端１０２ｂが容器本体１０１の下底部１０１ｅ全体に届く程度の長さとなっている。
【００３２】
なお、この容器本体側ストロー１０２には、容器本体側ストロー１０２自身が容器本体１０１内部で折れ曲がったときに詰まってしまわないように、適当な場所に蛇腹構造が設けられていても良い。
一方、キャップ１０３は、硬化プラスティック製等となっている。そして、このキャップ１０３は、容器本体１０１の口部１０１ａに合致し得るように円筒状に成型されるとともに、その一方の口が上蓋部１０３ａとして閉じられている。
【００３３】
そして、このキャップ１０３の内周面側には、メネジ１０３ｂ（有効径をＤ３とする）が刻設されるとともに、この有効径Ｄ３が、口部１０１ａに刻設されたオネジ１０１ｂの有効径Ｄ１と一致している。また、キャップ１０３の軸方向長さである高さＨ３は、容器本体１０１の口部１０１ａの高さＨ１と同等もしくはこれより長くなっており、キャップ１０３が容器本体１０１の口部１０１ａに完全に螺合可能となっている。
【００３４】
さらに、このキャップ１０３の上蓋部１０３ａの径方向中程の位置には、所定の内径を有しつつ、上蓋部１０３ａを貫通する空気孔１０３ｃが形成されている。そして、この空気孔１０３ｃは、使用者が飲料を多量に吸引する際に生じる内部の圧力と外気圧との間の圧力差をなくすためのものとなっている。
【００３５】
さらに、キャップ１０３の上蓋部１０３ａの中心には、この上蓋部１０３ａを貫通するストロー孔１０３ｄが設けられており、このストロー孔１０３ｄにキャップ側ストロー１０４が貫挿されるようになっている。このとき、キャップ側ストロー１０４は、ストロー孔１０３ｄ内に密着されて固定されるとともに、その一端であるフタ側端１０４ａが上蓋部１０３ａから軸方向に高さＨ４だけ突出し、また、キャップ側ストロー１０４の他端である容器本体側端１０４ｂが、キャップ１０３の中心軸上に位置するようになっている。
【００３６】
そして、キャップ側ストロー１０４は、この容器本体側端１０４ｂが、キャップ１０３でメネジ１０３ｂが螺刻された部分の中程に位置するように、その軸方向の位置調整が行われている。これにより、キャップ１０３を床等においた場合にも、容器本体側端１０４ｂが外部と接触することがなくなり、衛生的となっている。
【００３７】
ここに、キャップ側ストロー１０４の容器本体側端１０４ｂは、容器本体側ストロー１０２と密嵌し合う部分となっている。そのため、この容器本体側端１０４ｂ付近の材料は、容器本体側ストロー１０２がキャップ側ストロー１０４に嵌入し易いように、また嵌入した部分が密封され易いように、多少軟化されたものとなっており、例えば、ゴムや軟化樹脂等となっている（図示略）。ただし、容器本体側端１０４ｂに容器本体側ストロー１０２が嵌入される際に折れ曲がってしまわない程度の硬さは必要である。
【００３８】
一方、このキャップ側ストロー１０４のフタ側端１０４ａは、ペットボトル１００の使用者が、容器本体１０１に収容された飲料を吸引するための部分となっている。そのため、このフタ側端１０４ａ付近の材料は、使用者が飲料を吸引し易いように硬化されたものとなっており、例えば、硬化プラスティック等となっている。また、必要に応じて、キャップ側ストロー１０４の内径Ｒ４が若干絞られたテーパー状の形状を有していても良い（図示略）。
【００３９】
さらに、キャップ側ストロー１０４がストロー孔１０３ｄに固定される部分よりもフタ側端１０４ａ側の外周面側には、オネジ１０４ｃ（有効径をＤ４とする）が刻設されている。そして、このオネジ１０４ｃは、キャップ側ストロー１０４とストロー孔１０３ｄからフタ側端１０４ａに向けて、キャップ側ストロー１０４が上蓋部１０３ａから突出した長さである高さＨ４の３分の１程度の位置まで、形成されている。
また、キャップ側ストロー１０４の内径Ｒ４の大きさは、容器本体側ストロー１０２と同様に一様であり、また一般的なストローと同程度の大きさとなっている。そのため、内径Ｒ４は、通常２．０ｍｍ〜８．０ｍｍ程度となっている。
【００４０】
ただし、容器本体側ストロー１０２がキャップ側ストロー１０４に嵌入した際に、容器本体側ストロー１０２とキャップ側ストロー１０４との境目を密封し易いよう、容器本体側ストロー１０２の内径Ｒ２が、キャップ側ストロー１０４の内径Ｒ４よりも若干大きくなっていることが望ましい。すなわち、キャップ側ストロー１０４の容器本体側端１０４ｂ付近は軟化されているため、容器本体側ストロー１０２の内径Ｒ２が多少大きくても、キャップ側ストロー１０４が破損等するおそれはないからである。
【００４１】
さらに、キャップ側ストロー１０４の長さＬ４は、キャップ側ストロー１０４自体がストロー孔１０３ｄに固定された際に、上蓋部１０３ａから突出した高さＨ４が、使用者が吸引し易い程度の長さ（例えば２．０ｃｍ程度）となっていることが望ましい。
【００４２】
続いて、フタ１０５は、硬化プラスティック製等となっている。そして、このフタ１０５は、キャップ側ストロー１０４のフタ側端１０４ａ付近の形状に合致し得るように円筒状に成型されるとともに、その一方の口が上蓋部１０５ａとして閉じられている。
【００４３】
そして、このフタ１０５の内周面側には、メネジ１０５ｂ（有効径をＤ５とする）が刻設されるとともに、この有効径Ｄ５が、キャップ側ストロー１０４に刻設されたオネジ１０４ｃの有効径Ｄ４と一致している。また、キャップ１０３の軸方向の長さである高さＨ５は、キャップ側ストロー１０４がキャップ１０３から突出する高さＨ４と同等となっており、フタ１０５がキャップ側ストロー１０４のオネジ１０４ｃに完全に螺合可能となっている。
【００４４】
また、フタ１０５の外周面側には、連結部材１０６ａを介して、封止部材１０６が取り付けられている。
ここに、この封止部材１０６は、ゴム製等であり、また小型の円柱型を有している。そして、封止部材１０６の外径は、キャップ１０３に設けられた空気孔１０３ｃの内径と一致又はこれより若干大きくなっており、この封止部材１０６を空気孔１０３ｃに挿入することで、空気孔１０３ｃを塞ぐことができるようになっている。
さらに、連結部材１０６ａは、フタ１０５がキャップ側ストロー１０４と螺合した状態で、封止部材１０６で空気孔１０３ｃを塞ぐことができる程度の長さを有している。
【００４５】
かかる構成において、ペットボトル１００の使用者は、容器本体１０１に収容した飲料を吸引する。
このペットボトルを吸引する際の様子を示した図を図３に示す。なお、図３（ａ）は、ペットボトル拡大構成図であり、図３（ｂ）は、図３（ａ）中のＥ−Ｅ矢視線断面図である。
【００４６】
図３において、ペットボトル１００の容器本体１０１には、すでに飲料が収容されている（図示略）。そして、この容器本体１０１の口部１０１ａに設けられたオネジ１０１ｂとキャップ１０３に設けられたメネジ１０３ｂとは、互いに同じ有効径Ｄ１、Ｄ３を有しているため、オネジ１０１ｂとメネジ１０３ｂとは螺合して、口部１０１ａがキャップ１０３に螺入されるようになっている。
【００４７】
さらに、このように口部１０１ａがキャップ１０３に螺入された状態では、容器本体１０１の中心軸とキャップ１０３の中心軸とが一致し、かつ、容器本体側ストロー１０２のキャップ側端１０２ａがテーパー状になっているため、容器本体側ストロー１０２のキャップ側端１０２ａがキャップ側ストロー１０４の容器本体側端１０４ｂに嵌入している。そして、さらに、容器本体側ストロー１０２の内径Ｒ２がキャップ側ストロー１０４の内径Ｒ４より若干大きくなっているため、容器本体側ストロー１０２がキャップ側ストロー１０４に嵌入した状態では、互いが密封して接続されるようになっている。
【００４８】
この場合において、使用者が容器本体１０１に収容した飲料を吸引する際には、容器本体１０１をおよそ直立させた状態でキャップ側ストロー１０４のフタ側端１０４ａを吸引する。この際、容器本体側ストロー１０２とキャップ側ストロー１０４とは密嵌されているため、キャップ側ストロー１０４を吸引しても、その吸引力が空気孔１０３ｃから漏れることはない。そのため、使用者は、飲料を飲むことができる。
【００４９】
このことにより、容器本体１０１を逆さにしないと飲料を飲めない場所においても、飲料を飲むことが可能となる。また、ペットボトル１００が大容量であっても、これを把持するだけで逆さ等にすることなく、飲料を飲用することが可能となる。さらに、飲料を飲用する際に直接口を付けるのは、キャップ側ストロー１０４のフタ側端１０４ａのみであるため、従来のペットボトル１０が口部１ａ全体に当てていたのに比べて、菌が繁殖し難く、容器本体１０１内に菌が混入するのを未然に防ぐことが可能となる。
【００５０】
そしてまた、キャップ１０３には空気孔１０３ｃが設けられているため、飲料を多量に吸引したことによって容器本体１０１内部の圧力が低下しても、すぐに外気圧と同等にすることができ、飲料の飲用が容易になる。
【００５１】
一方、ペットボトル１００の使用者は、容器本体１０１に飲料を収容した状態で、このペットボトル１００を携帯する。
このペットボトルを携帯する際の様子を示した図を図４に示す。なお、図４（ａ）は、ペットボトル拡大構成図であり、図４（ｂ）は、図４（ａ）中のＦ−Ｆ矢視線断面図である。また、図３と同一要素のものについては同一符号を付して説明は省略する。
【００５２】
図４において、（図３の）飲料を吸引可能な状態に加えて、キャップ側ストロー１０４のフタ側端１０４ａがフタ１０５に螺入され、このフタ側端１０４ａが封止されている。
また、キャップ側ストロー１０４が、フタ１０５に螺入された状態において、この封止部材１０６が、空気孔１０３ｃを封止するようになっている。
【００５３】
この場合において、使用者がペットボトル１００を携帯する際には、キャップ側ストロー１０４がフタ１０５により封止され、かつ空気孔１０３ｃが封止部材１０６により封止されるため、キャップ側ストロー１０４及び空気孔１０３ｃからの飲料が流出することはない。
このことにより、ペットボトル１００の携帯が可能となる。また、この携帯した状態で、キャップ側ストロー１０４のフタ側端１０４ａが外部と接触しないため、フタ側端１０４ａにおける菌の繁殖を防ぐことができる。
【００５４】
さらに、ペットボトル１００の使用者は、容器本体１０１に飲料を注入する。
このペットボトルに飲料を注入する際の様子を示した図を図５に示す。なお、図３と同一要素のものについては同一符号を付して説明は省略する。
図５において、（図３の）飲料を吸引可能な状態に対して、キャップ１０３が外されている。
そして、この状態において、飲料を多量に貯蓄する貯蓄容器１５０から、容器本体１０１の口部１０１ａへ飲料が注がれている。
【００５５】
この場合において、容器本体側ストロー１０２は、棒状の支持部材１０１ｄにより支持されているため、支持部材１０１ｄが取り付けられた部分の支持部材１０１ｄ以外の部分を通って、何ら詰まることなく容器本体１０１の内部に飲料が注入される。
【００５６】
さらに、容器本体側ストロー１０２とキャップ側ストロー１０４とは分離するため、（当然に）キャップ１０３に容器本体側ストロー１０２が付随して来ることはなくなる。従って、ストローを有しない従来のペットボトル１０に飲料を注入するのと同様の方法により、ペットボトル１００に口部１０１ａから飲料を注入することが可能となる。
【００５７】
なお、このことは、ペットボトル１００へ飲料を注入する場合だけでなく、ペットボトル１００から飲料を注出する場合も同様である。
このことにより、飲料の注入、注出の際に、取り外したキャップ１０３に容器本体側ストロー１０２が付随して来ることがないため、飲料の注入、注出を容易に行うことが可能となる。また、飲料の注入、注出の際にストローを外部に接触させることがなくなるため、これらの作業を衛生的に行うことが可能となる。
【００５８】
以上により、ペットボトル１００は、容器本体１０１を直立させた状態で飲料を飲用可能であるとともに、容易にかつ衛生的に飲料の注入、注出が可能となる。
【００５９】
なお、本実施形態において、容器本体１０１は、ポリエチレンテレフタレート製であるとして説明してきたが、これに限られず、アルミ製、鉄製等のカンでも良く、ガラス製の瓶等に応用されても良い。
また、本実施形態において、フタ１０５の外周面側には、連結部材１０６ａを介して、封止部材１０６が取り付けられているとして説明してきたが、これに限られない。すなわち、連結部材１０６ａ及び封止部材１０６を備えずに、フタ１０５のキャップ１０３側の口付近に直接ゴム製の部材等を取り付けて、これにより、フタ１０５をキャップ１０３に螺合させる際に、空気孔１０３ｃを同時に封止可能なように構成しても良い。
【００６０】
さらに、本実施形態においては、フタ１０５によりキャップ側ストロー１０４を封止するものとして説明してきたが、これに限られず、例えば、キャップ側ストロー１０４自体を折り曲げて、これをクリップ等で挟むことによりキャップ側ストロー１０４を封止しても良い。
また、本実施形態においては、容器本体側ストロー１０２とキャップ側ストロー１０４とは密嵌されるものとして説明してきたが、これに限られない。すなわち、容器本体側ストロー１０２とキャップ側ストロー１０４とは螺合されても良い（図示略）。
【００６１】
この場合、容器本体側ストロー１０２とキャップ側ストロー１０４とに設けられるオネジ、メネジの有効径は、当然に一致している必要がある。また、本実施形態においては、容器本体１０１とキャップ１０３との間も螺合し合う構成であるため、容器本体側ストロー１０２及びキャップ側ストロー１０４に設けられるオネジ、メネジのピッチ（隣り合うネジ山間の距離のこと）が、容器本体１０１のオネジ１０１ｂ及びキャップ１０３のメネジ１０３ｂのピッチと一致している必要がある。
【００６２】
これにより、容器本体１０１とキャップ１０３とが螺合することで、容器本体側ストロー１０２とキャップ側ストロー１０４とも螺合するようになる。従って、容器本体側ストロー１０２とキャップ側ストロー１０４との間を密封することができる。
このことにより、ペットボトル１００の製造過程において、作製容易な容器本体側ストロー１０２及びキャップ側ストロー１０４の構成を選択可能となる。
【００６３】
次に、本発明の第２実施形態について説明する。
第２実施形態であるペットボトルは、第１実施形態であるペットボトルのキャップ側ストローに対し弁体を設けて構成したものである。
本発明の第２実施形態であるキャップの概略構成図を図６に示す。なお、図６（ａ）は、キャップの拡大構成図であり、図６（ｂ）は、図６（ａ）中のＧ−Ｇ矢視線断面図である。また、図１、図２と同一要素のものについては同一符号を付して説明は省略する。
【００６４】
図６において、ペットボトル２００は、容器本体１０１（図示略）と、弁付キャップ２０３と、フタ１０５（図示略）とから構成されている。
ここに、弁付キャップ２０３には、第１実施形態であるキャップ１０３のキャップ側ストロー１０４の代わりに、弁付キャップ側ストロー２０４が貫挿された構成となっている。
【００６５】
そして、この弁付キャップ側ストロー２０４の内周面側には、弁体２０４ｄが取り付けられており、この弁体２０４ｄは、自然状態でストローを閉とし、フタ側端１０４ａ側より吸引した際にストローを開とするようになっている。なお、この弁体２０４ｄは、ストローを閉とした状態において、弁付キャップ側ストロー２０４の内周面に取り付けられた円環状の弁止２０４ｅにより支えられるようになっている。
そして、これらの弁体２０４ｄ及び弁止２０４ｅは、キャップ１０３の上蓋部１０３ａ付近に位置するように、軸方向位置の調整が行われている。そのため、容器本体側ストロー１０２が弁付キャップ側ストロー２０４に密嵌された状態において、容器本体側ストロー１０２に押されて弁体２０４ｄが開とならないようになっている。
【００６６】
かかる構成において、使用者が容器本体１０１に収容した飲料を吸引する際には、フタ側端１０４ａ側より弁付キャップ側ストロー２０４を吸引する。このとき、弁付キャップ側ストロー２０４に取り付けられた弁体２０４ｄは、フタ側端１０４ａ側から吸引されることで開となる。そのため、使用者は飲料を飲用できる。
【００６７】
一方、この飲用可能な状態で、一時的に飲用を休止する際には、弁付キャップ側ストロー２０４に取り付けられた弁体２０４ｄが自然状態となることで閉となる。そのため、弁付キャップ側ストロー２０４のフタ側端１０４ａから菌が混入し難くなる。
このことにより、ペットボトル２００の内部で菌の繁殖を未然に防止することができる。
【００６８】
なお、本実施形態においては、弁体２０４ｄ及び弁止２０４ｅは、キャップ側ストロー１０４に取り付けられるとして説明したが、これに限られず、当然に、容器本体側ストロー１０２に取り付けられていても良い。
【００６９】
さらに、本発明の第３実施形態について説明する。
第３実施形態であるペットボトルは、第１実施形態であるペットボトルに対して、容器本体とキャップとの間及びキャップとフタとの間を連結部材により連結して構成したものである。
本発明の第３実施形態であるペットボトルの概略構成図を図７に示す。なお、図１と同一要素のものについては同一符号を付して説明は省略する。
【００７０】
図７において、ペットボトル３００は、容器本体１０１と、溝付キャップ３０３と、フタ１０５と、容器本体−キャップ間連結部材３０７と、キャップ−フタ間連結部材３０８とから構成されている。
ここに、溝付キャップ３０３は、第１実施形態のキャップ１０３に対して、その外周面に沿って、回転方向へ１周回する溝３０３ｅが形成されたものとなっている。
【００７１】
また、容器本体−キャップ間連結部材３０７は、糸状の部材であり、その一端が容器本体１０１の所定位置に固着されるとともに、その他端側が溝付キャップ３０３に至るようになっている。このとき、容器本体−キャップ間連結部材３０７の他端では輪が形成されるとともに、この輪の中に溝付キャップ３０３が内設されている。
【００７２】
そして、この輪を溝３０３ｅに沿って嵌め合わせつつ、輪の内径を溝３０３ｅ部分の外径より大きくかつ溝付キャップ３０３の外径より小さくすることで、溝付キャップ３０３が、容器本体−キャップ間連結部材３０７に連結されつつ、容器本体−キャップ間連結部材３０７に対して回動自在となるようになっている。
【００７３】
一方、キャップ−フタ間連結部材３０８も、糸状の部材であり、その一端が溝付キャップ３０３の所定位置に固着されるとともに、その他端側がフタ１０５に至るようになっている。このとき、キャップ−フタ間連結部材３０８の他端には、留め金３０８ａが設けられており、この留め金３０８ａをキャップ−フタ間連結部材３０８の他端とともに、フタ１０５の上蓋部１０５ａに差し込むことによって、フタ１０５が、キャップ−フタ間連結部材３０８に連結されつつ、キャップ−フタ間連結部材３０８に対して回動自在となるようになっている。
【００７４】
かかる構成において、使用者が容器本体１０１に収容した飲料を吸引する際には、第１実施形態と同様にフタ１０５が外される。このとき、フタ１０５は溝付キャップ３０３に連結されており、この状態で飲料を飲用する。
【００７５】
一方、ペットボトル３００を携帯する際には、溝付キャップ３０３が容器本体−キャップ間連結部材３０７に対して回動自在であるため、溝付キャップ３０３を容易にペットボトル３００に容易に螺合可能であり、第１実施形態と同様に、溝付キャップ３０３により容器本体１０１を密閉可能となる。また、これと同様に、フタ１０５も、キャップ−フタ間連結部材３０８に対して回動自在であるため、容易にフタ１０５によりキャップ側ストロー１０４を密閉可能となる。
【００７６】
さらに、ペットボトル３００に飲料を注入する際にも、第１実施形態と同様にフタ１０５及び溝付キャップ３０３が外される。そして、これらが容器本体１０１に連結されたままで、口部１０１ａから飲料を注入する。
このことにより、ペットボトル３００から飲料を飲用する際やペットボトル３００に飲料を注入する際等に、容器本体１０１から外したフタ１０５や溝付キャップ３０３を床等に置くことなく、これらの作業を行うことができる。従って、衛生的に作業することが可能となる。
【００７７】
また、容器本体１０１と溝付キャップ３０３との間及び溝付キャップ３０３とフタ１０５との間は連結されているため、フタ１０５や溝付キャップ３０３を外したときに、これらを紛失を防止することが可能となる。
【００７８】
なお、本実施形態においては、溝付キャップ３０３が容器本体−キャップ間連結部材３０７に対して回動自在であり、フタ１０５がキャップ−フタ間連結部材３０８に対して回動自在であるとして説明してきたが、これに限られない。すなわち、容器本体１０１が容器本体−キャップ間連結部材３０７に対して回動自在であったり、溝付キャップ３０３がキャップ−フタ間連結部材３０８に対して回動自在であっても良い。
【００７９】
また、本実施形態においては、２つの容器本体−キャップ間連結部材３０７とキャップ−フタ間連結部材３０８とにより、容器本体１０１と溝付キャップ３０３との間及び溝付キャップ３０３とフタ１０５との間を連結するものして説明してきたが、これに限られず、容器本体１０１と溝付キャップ３０３との間の連結のみ、あるいは溝付キャップ３０３とフタ１０５との間を連結のみであっても良い。
【００８０】
さらに、本発明の第４実施形態について説明する。
第４実施形態であるペットボトルは、第１実施形態であるペットボトルに対して、容器本体に支持されているストローを直接吸引することで、飲料を飲めるようにしたものである。
本発明の第４実施形態であるペットボトルの概略構成図を図８に示す。なお、図１と同一要素のものについては同一符号を付して説明は省略する。
【００８１】
図８において、ペットボトル４００は、長ストロー付容器本体４０１と、密閉キャップ４０３とから構成されている。
ここに、長ストロー付容器本体４０１は、第１実施形態の容器本体側ストロー１０２の代わりに、長容器本体側ストロー４０２を支持した構成となっている。そして、この長容器本体側ストロー４０２の一端であるキャップ側端４０２ａは、本実施形態のペットボトル４００の使用者が、長ストロー付容器本体４０１に収容された飲料を吸引するための部分となっている。
【００８２】
そのため、長容器本体側ストロー４０２は、その長さＬ２が長ストロー付容器本体４０１の高さよりも長くなっており、また、そのキャップ側端４０２ａが、長ストロー付容器本体４０１の口部１０１ａから突出している。そして、この突出の程度は、使用者が飲用し易いように、第１実施形態のキャップ側ストロー１０４が上蓋部１０３ａから突出した部分の長さである高さＨ４と、同程度となっている。
【００８３】
一方、密閉キャップ４０３は、第１実施形態のキャップ１０３に比べ、長容器本体側ストロー４０２を、単に密閉可能な構成にしたものとなっている。そのため、密閉キャップ４０３には、キャップ側ストロー１０４が貫挿されなくなるとともに、その上蓋部４０３ａの形状が、第１実施形態の上蓋部１０３ａの形状と異なっている。
【００８４】
すなわち、密閉キャップ４０３の上蓋部４０３ａには、収納部４０３ｆが突出して形成されている。そして、この収納部４０３ｆは、密閉キャップ４０３が長ストロー付容器本体４０１の口部１０１ａに螺合した際に口部１０１ａから突出した長容器本体側ストロー４０２を収納可能な形状となっている。
【００８５】
従って、この収納部４０３ｆの内径は、長容器本体側ストロー４０２の外径と同等もしくはそれより大きくなっているとともに、その突出の程度も、長容器本体側ストロー４０２が口部１０１ａから突出している高さと同等もしくはそれより高くなっている。
そしてまた、上蓋部４０３ａには、第１実施形態のキャップ１０３のように空気孔１０３ｃも設けられていない。
【００８６】
かかる構成において、使用者が長ストロー付容器本体４０１に収容した飲料を吸引する際には、密閉キャップ４０３が外される。そして、使用者は、容器本体１０１を直立させた状態で長容器本体側ストロー４０２のキャップ側端４０２ａを吸引する。これにより、使用者は、飲料を飲むことができる。
【００８７】
一方、ペットボトル３００を携帯する際には、密閉キャップ４０３を長ストロー付容器本体４０１に螺合させることにより、長ストロー付容器本体４０１の口部１０１ａが封止される。そのため、長ストロー付容器本体４０１から飲料が流出することはない。
【００８８】
さらに、ペットボトル３００に飲料を注入する際には、第１実施形態と同様に、長容器本体側ストロー４０２と密閉キャップ４０３とは分離するため、ストローを有しない従来のペットボトル１０に飲料を注入するのと同様の方法により、ペットボトル４００の口部１０１ａから飲料を注入することが可能となる。
【００８９】
このことにより、第１実施形態と異なる構成を取ることによっても、長ストロー付容器本体４０１を直立させた状態で飲料を飲用することができ、さらに容易にかつ衛生的に飲料の注入、注出が可能となる。従って、ペットボトル４００の製造過程において、作製容易な長ストロー付容器本体４０１及び密閉キャップ４０３の構成を選択可能となる。
【００９０】
なお、説明は省略するが、本実施形態のペットボトル４００においても、当然に第２実施形態のように長容器本体側ストロー４０２に弁体を設けることが可能であり、また、第３実施形態のように長ストロー付容器本体４０１と密閉キャップ４０３との間に連結部材を設けることは可能である。
【００９１】
【発明の効果】
以上説明したように本発明によれば、容器本体側ストローが容器本体に支持され、かつキャップ側ストローがキャップに貫通固定され、さらにキャップが容器本体の口部に螺合した状態で容器本体側ストローとキャップ側ストローとを連絡し、容器本体側ストローとキャップ側ストローとの境目を密封するように構成したので、容器本体を直立させた状態で飲料を飲用可能である。
また、この容器本体側ストローは、飲料の流通が可能な通路を有する支持部材により支持されているため、容易にかつ衛生的に飲料の注入、注出が可能となる。
【図面の簡単な説明】
【図１】本発明の第１実施形態であるペットボトルの概略構成図
【図２】図１中の縦断面図
【図３】ペットボトルを吸引する際の様子を示した図
【図４】ペットボトルを携帯する際の様子を示した図
【図５】ペットボトルに飲料を注入する際の様子を示した図
【図６】本発明の第２実施形態であるキャップの概略構成図
【図７】本発明の第３実施形態であるペットボトルの概略構成図
【図８】本発明の第４実施形態であるペットボトルの概略構成図
【図９】従来のペットボトルの概略構成図
【符号の説明】
１００、２００、３００、４００  ペットボトル
１０１  容器本体
１０１ａ  口部
１０１ｂ、１０４ｃ  オネジ
１０１ｄ  支持部材
１０２  容器本体側ストロー
１０３  キャップ
１０３ａ、１０５ａ、４０３ａ  上蓋部
１０３ｂ、１０５ｂ  メネジ
１０３ｃ  空気孔
１０４  キャップ側ストロー
１０５  フタ
１０６  封止部材
２０４  弁付キャップ側ストロー
２０４ｄ  弁体
３０３  溝付キャップ
３０７  容器本体−キャップ間連結部材
３０８  キャップ−フタ間連結部材
４０１  長ストロー付容器本体
４０２  長容器本体側ストロー
４０３  密閉キャップ
【図１】
2004203469.tif 000003
【図２】
2004203469.tif 000004
【図３】
2004203469.tif 000005
【図４】
2004203469.tif 000006
【図５】
2004203469.tif 000007
【図６】
2004203469.tif 000008
【図７】
2004203469.tif 000009
【図８】
2004203469.tif 000010
【図９】
2004203469.tif 000011
【手続補正書】
【提出日】平成15年7月7日(2003.7.7)
【手続補正２】
【補正対象書類名】明細書
【補正対象項目名】特許請求の範囲
【補正方法】変更
【補正の内容】
【特許請求の範囲】
【請求項１】
飲料を収容する容器本体と、
該容器本体に挿入される容器本体側ストローと、
該容器本体側ストローを前記容器本体に内包させつつ、該容器本体側ストローを前記容器本体の内面側から支持する支持部材と、
前記容器本体の口部に螺合可能なキャップと、
該キャップの上蓋部に貫通固定され、該キャップが前記容器本体の口部に螺合されたとき前記容器本体側ストローと連絡されかつ該容器本体側ストローとの境目が密封されるキャップ側ストローと、
該キャップ側ストローの一端を封止可能な封止手段とを備えたことを特徴とするキャップを有する飲料容器。
【請求項２】
前記キャップの上蓋部を貫通する空気孔と、
前記封止手段に連結され又は前記封止手段に直接形成され、かつ前記封止手段により前記キャップ側ストローが封止された状態で、前記空気孔を封止する空気孔封止手段とを備えたことを特徴とする請求項１記載のキャップを有する飲料容器。
【請求項３】
前記容器本体の内面側において、前記支持部材が取り付けられた部分には、前記飲料の注入及び注出が可能な通路が形成されていることを特徴とする請求項１又は請求項２記載のキャップを有する飲料容器。
【請求項４】
飲料を収容する容器本体と、
該容器本体に挿入される容器本体側ストローと、
該容器本体側ストローの一端を前記容器本体から突出させつつ、該容器本体側ストローを前記容器本体の内面側かつ該容器本体の口部先端から所定深さの位置で支持する支持部材と、
前記容器本体の口部に螺合可能であり、かつ該螺合した状態で前記容器本体側ストローの一端を封止するキャップとを備え、
前記容器本体の内面側において、前記支持部材が取り付けられた部分には、前記飲料の注入及び注出が可能な通路が形成されていることを特徴とするキャップを有する飲料容器。
【請求項５】
前記容器本体側ストローの内面又は前記キャップ側ストローの内面に取り付けられた弁体を備えたキャップを有する飲料容器であって、
前記弁体は、前記容器本体側ストロー又は前記キャップ側ストローを自然状態で閉とし、かつ前記容器本体側ストローの吸引又は前記キャップ側ストローの吸引により開とすることを特徴とする請求項１〜４のいずれか１項に記載のキャップを有する飲料容器。
【手続補正３】
【補正対象書類名】明細書
【補正対象項目名】０００１
【補正方法】変更
【補正の内容】
【０００１】
【発明の属する技術分野】
本発明はキャップを有する飲料容器に係わり、特に、容器本体を直立させた状態で飲料を飲用可能であるとともに、容易にかつ衛生的に飲料の注入、注出が可能なキャップを有する飲料容器に関する。


【手続補正４】
【補正対象書類名】明細書
【補正対象項目名】０００８
【補正方法】変更
【補正の内容】
【０００８】
本発明はこのような従来の課題に鑑みてなされたもので、容器本体を直立させた状態で飲料を飲用可能であるとともに、容易にかつ衛生的に飲料の注入、注出が可能なキャップを有する飲料容器を提供することを目的とする。


【手続補正５】
【補正対象書類名】明細書
【補正対象項目名】０００９
【補正方法】変更
【補正の内容】
【０００９】
【課題を解決するための手段】
このため本発明は、飲料を収容する容器本体と、該容器本体に挿入される容器本体側ストローと、該容器本体側ストローを前記容器本体に内包させつつ、該容器本体側ストローを前記容器本体の内面側から支持する支持部材と、前記容器本体の口部に螺合可能なキャップと、該キャップの上蓋部に貫通固定され、該キャップが前記容器本体の口部に螺合されたとき前記容器本体側ストローと連絡されかつ該容器本体側ストローとの境目が密封されるキャップ側ストローと、該キャップ側ストローの一端を封止可能な封止手段とを備えて構成した。


【手続補正６】
【補正対象書類名】明細書
【補正対象項目名】００１０
【補正方法】変更
【補正の内容】
【００１０】
飲料容器の使用者が容器本体に収容した飲料を飲用する際には、キャップ側ストローを吸引する。このとき、容器本体側ストローとキャップ側ストローとの間は、キャップが容器本体の口部に螺合されたときに連絡されかつ密封されるため、キャップ側ストローを吸引した吸引力が外部に漏れることはない。


【手続補正７】
【補正対象書類名】明細書
【補正対象項目名】００１２
【補正方法】変更
【補正の内容】
【００１２】
なお、容器本体側ストローとキャップ側ストローとの間が連絡されかつ密封されるように、容器本体側ストローとキャップ側ストローとが密嵌されるようにしても良いし、容器本体側ストローとキャップ側ストローとが螺合されるようにしても良い。また、封止手段は、キャップ側ストローの一端の形状に合致するように成型されたフタであっても良いし、キャップ側ストローの一端付近を折り曲げるためのクリップ等であっても良い。


【手続補正８】
【補正対象書類名】明細書
【補正対象項目名】００１５
【補正方法】変更
【補正の内容】
【００１５】
さらに、本発明は、前記容器本体の内面側において、前記支持部材が取り付けられた部分には、前記飲料の注入及び注出が可能な通路が形成されていることを特徴とする。


【手続補正９】
【補正対象書類名】明細書
【補正対象項目名】００１６
【補正方法】変更
【補正の内容】
【００１６】
容器本体側ストローは、飲料の注入及び注出が可能な通路を有する支持部材により支持されている。そのため、飲料を容器本体の内部あるいは外部に注入、注出させる際に、飲料がこの支持部材において何ら詰まることはない。また、容器本体側ストローとキャップ側ストローとは分離しているため、飲料の注入、注出の際に、キャップに容器本体側ストローが付随して来ることはなくなる。


【手続補正１０】
【補正対象書類名】明細書
【補正対象項目名】００１７
【補正方法】変更
【補正の内容】
【００１７】
このことにより、飲料の注入、注出を容易に行うことが可能となる。また、飲料の注入、注出の際にストローを外部に接触させることがなくなるため、これらの作業を衛生的に行うことが可能となる。


【手続補正１１】
【補正対象書類名】明細書
【補正対象項目名】００１８
【補正方法】変更
【補正の内容】
【００１８】
さらに、本発明は、飲料を収容する容器本体と、該容器本体に挿入される容器本体側ストローと、該容器本体側ストローの一端を前記容器本体から突出させつつ、該容器本体側ストローを前記容器本体の内面側かつ該容器本体の口部先端から所定深さの位置で支持する支持部材と、前記容器本体の口部に螺合可能であり、かつ該螺合した状態で前記容器本体側ストローの一端を封止するキャップとを備え、前記容器本体の内面側において、前記支持部材が取り付けられた部分には、前記飲料の注入及び注出が可能な通路が形成されていることを特徴とする。


【手続補正１２】
【補正対象書類名】明細書
【補正対象項目名】００１９
【補正方法】変更
【補正の内容】
【００１９】
飲料容器の使用者が容器本体に収容した飲料を飲用する際には、容器本体側ストローを吸引する。このとき、容器本体側ストローの一端は、容器本体から突出しているため、これを吸引することができる。
このことにより、容器本体を直立させた状態で飲料を飲用することができる。従って、飲料容器の製造過程において、作製容易な容器本体及びキャップの構成を選択可能となる。
また、容器本体側ストローは、容器本体の内面側かつこの容器本体の口部先端から所定深さの位置で、飲料の注入及び注出が可能な通路を有する支持部材により支持されている。そのため、飲料を容器本体の内部あるいは外部に注入、注出させる際に、飲料がこの支持部材において何ら詰まることはない。このことにより、飲料の注入、注出を容易に行うことが可能となる。


【手続補正１３】
【補正対象書類名】明細書
【補正対象項目名】００２０
【補正方法】変更
【補正の内容】
【００２０】
さらに、本発明は、前記容器本体側ストローの内面又は前記キャップ側ストローの内面に取り付けられた弁体を備えたキャップを有する飲料容器であって、前記弁体は、前記容器本体側ストロー又は前記キャップ側ストローを自然状態で閉とし、かつ前記容器本体側ストローの吸引又は前記キャップ側ストローの吸引により開とすることを特徴とする。


【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００９１
【補正方法】変更
【補正の内容】
【００９１】
【発明の効果】
以上説明したように本発明によれば、容器本体側ストローが容器本体に支持され、かつキャップが容器本体の口部に螺合されたときに容器本体側ストローと連絡され、かつこ容器本体側ストローとの境目が密封されるキャップ側ストローを備えて構成したので、容器本体を直立させた状態で飲料を飲用可能である。
また、この容器本体側ストローは、飲料の注入及び注出が可能な通路を有する支持部材により支持されているため、容易にかつ衛生的に飲料の注入、注出が可能となる。